(57)【要約】      （修正有）【課題】従来の靴下は、収納する素足の足首から足甲にかけて屈曲する形状が原因で、歩くなどの動作により必然的に、足首の前方側から足首を巻くようにして踵に向けて皺が発生するので、違和感及び不快感が避けられず、且つ皮膚の弱い人は、皺で擦れることにより痛みが生じることもあった。靴下の着用時に、足首と足甲の境目付近に皺が発生するのを、簡略に低コストで且つ確実に防ぐことは不可能だった。本発明は、着用時に、足首と足甲の境目付近に皺が発生するのを防ぐ皺防止開口靴下を提供する。【解決手段】足挿入口部と、胴部と、足首部と、湾曲部と、足甲部と、踵部と、足底部と、つま先部とを備えた靴下本体であって、該靴下本体の該湾曲部の中央部位付近を起点にして、左右から該踵部へ向かって、該足首部と該足甲部の境目に沿い、且つ該足首部を前方側から巻くようにした構成で、一文字線状に伸びた開閉自在の開口部を、該靴下本体と一体状に設ける。【選択図】図１
2019007126.tif 000002
【特許請求の範囲】
【請求項１】
足挿入口部と、胴部と、足首部と、湾曲部と、足甲部と、踵部と、足底部と、つま先部とを備えた靴下本体であって、該靴下本体の該湾曲部の中央部位付近を起点にして、左右から該踵部へ向かって、該足首部と該足甲部の境目に沿い、且つ該足首部を前方側から巻くようにした構成で、一文字線状に伸びた開閉自在の開口部を、該靴下本体と一体状に設ける。
該開口部は、従来の靴下を着用した際に、足首と足甲の境目付近部位に発生する皺をなぞって、同一状に切り裂いて形成したような形状構成であり、隣接する該足甲部の幅と粗同一の全長７ｃｍ位で設けたことを特徴とする皺防止開口靴下。
【請求項２】
該開口部の全縁付近部位に、繊維の解れ及び捲れを防ぐ縁かがり状の保全部を設けたことを特徴とする請求項１に記載の皺防止開口靴下。
【発明の詳細な説明】
【技術分野】
【０００１】  本発明は、着用時に足首付近に発生する皺を防いで、快適で安全に素足を保護及び保温する皺防止開口靴下に関するものである。
【背景技術】
【０００２】  従来、素足を保護及び保温する目的で履く靴下は、脹脛及び臑部位から足首を経て、足甲や踵及び土踏まずを含むつま先までを、一体的に収納する足の形状に合わせて袋状に形成されたものである。
尚、着用してもズレや弛み、皺を防ぎ、違和感が生じ難い靴下及び靴下の編成方法が知られている（特許文献１参照）。
【先行技術文献】
【特許文献】
【０００３】
【特許文献１】特開２０１２−１６７４０１号広報
【発明の概要】
【発明が解決しようとする課題】
【０００４】  従来の靴下は、収納する素足の足首から足甲にかけて屈曲する形状が原因で、歩くなどの動作により必然的に、足首の前方側から足首を巻くようにして踵に向けて皺が発生するので、違和感及び不快感が避けられず、且つ皮膚の弱い人は、皺で擦れることにより痛みが生じることもあった。靴下の着用時に、足首と足甲の境目付近に皺が発生するのを、簡略に低コストで且つ確実に防ぐことは不可能だった。
本発明は、以上の問題点を解決するためになされたものである
【課題を解決するための手段】
【０００５】  足挿入口部と、胴部と、足首部と、湾曲部と、足甲部と、踵部と、足底部と、つま先部とを備えた靴下本体であって、該靴下本体の該湾曲部の中央部位付近を起点にして、左右から該踵部へ向かって、該足首部と該足甲部の境目に沿い、且つ該足首部を前方側から巻くようにした構成で、一文字線状に伸びた開閉自在の開口部を、該靴下本体と一体状に設ける。
該開口部は、従来の靴下を着用した際に、足首と足甲の境目付近部位に発生する皺をなぞって、同一状に切り裂いて形成したような形状構成であり、隣接する該足甲部の幅と粗同一の全長７ｃｍ位である。
以上の構成よりなる皺防止開口靴下。
【発明の効果】
【０００６】  従来不可能とされていた靴下の着用時に足首と足甲の境目付近に皺が発生するのを、簡略に低コストで且つ確実に防ぐことを、本発明により可能にし、これまで着用時に感じていた違和感及び不快感が解消され、且つ皮膚の弱い人が、皺で擦れることにより生じていた痛みを無くすことができる。
本発明は、ジョギング中及び作業中などで、足首の曲げ伸ばしをした際に生じていた窮屈感を緩和して、靴下内部の蒸れの軽減にも役立つ。
【図面の簡単な説明】
【０００７】
【図１】  本発明の斜視図
【図２】  本発明の使用状態を示す斜視図
【発明を実施するための形態】
【０００８】  以下、本発明の実施の形態を説明する。
（イ）最初に、本発明の皺防止開口靴下（１）は、右足用と左足用は同一であり、この実      施の形態に於いては、片方の成人男性の標準Ｍサイズ（２４ｃｍ〜２６ｃｍ）を説      明するが、他の男性用Ｓ，Ｌ，ＬＬ、及び女性用Ｓ，Ｍ，Ｌ，ＬＬ、及び子供用の      各部のサイズは、それぞれの本体サイズに比例して設ける。
（ロ）靴下本体（２）は、足挿入口部（２０）と、胴部（２１）と、湾曲部（２２）と、      足首部（２３）と、足甲部（２４）と、踵部（２５）と、足底部（２６）と、つま      先部（２７）とをそれぞれ備え、柔軟で伸縮自在のポリエステルや綿などの材質で      設けている。
（ハ）該靴下本体（２）の、該足首部（２３）と該足甲部（２４）の間にある該湾曲部（      ２２）の中央部位付近を起点にして、左右から該踵部（２５）へ、該足首部（２３      ）と該足甲部（２４）の境目に沿って、該足首部（２３）を前方側から巻くように      して、一文字線状に該踵部（２５）へ向かって伸びた構成で、自在開閉の開口部（      ３）を、該靴下本体（２）と一体状に設ける。
（ニ）該開口部（３）は、伸縮自在材質の該靴下本体（２）と一体状で有り、該靴下本体      （２）の伸縮動作に連動して開閉する構造である。
（ホ）該開口部（３）は、従来の靴下を着用した際に、足首と足甲の間位の位置にできる      皺をなぞって、同一状に刃物や鋏で切り裂いて形成したような、形状構成である。
（ヘ）該開口部（３）は、表面側と裏面側が貫通した細長い、相対する前方側縁部位と後      方側縁部位が当接する位の間隔の隙間状である。
（ト）該開口部（３）は、該足甲部（２４）の横幅と粗同一の、全長７ｃｍ位（成人男性      Ｍサイズ）で、着用時に、内側と外側の踝の前方側先端から垂直に足底へ引いた線      に、両先端部位が到達する位の位置にくる構成である。
（チ）該開口部（３）の全縁付近部位に、繊維の解れ及び捲れを防ぐ縁かがり状の保全部      （４）を、縫製または接着剤で設ける。
本発明は以上のような構造である。
本発明を使用する時は、従来の靴下を着用する際と同じ要領と手順で、床又は椅子などに座った姿勢（中腰でも構わない）をとり、皺防止開口靴下（１）一足の片方の足挿入口部（２０）を、両手の指先（親指を内部に入れる）で摘まんで軽く広げ、右足（Ａ）若しくは左足（Ａ）のつま先に被せ、摘まんだ指先で手前に引き、つま先、足甲の順に収納する。この時、内部に入れる両親指は、開口部（３）を超えたつま先部（２７）側の位置まで入れて、同所部位を摘まんで手前に引き、開口部（３）が開かないようにする。
踵まで収納したら、そのまま上方へ引き上げて、足首、脹脛を収納する。
同じ手順で、他方の皺防止開口靴下（１）を残りの足（Ａ）に着用する。
着用を終えた時点で、開口部（３）が開いていた場合は、両親指を開口部（３）から内部に差し入れ、テーブルクロスを摘まんで手前に引く要領で、つま先部（２７）側に開いている部位を手前に引き、元の、前後の相対する縁部位が当接する位の位置状態に戻して使用する。
本発明の皺防止開口靴下（１）は、歩行やジョギングなどの動作をしても、開口部（３）が自在に開閉して、足首付近に皺が発生するのを防ぎ、長時間の着用でも違和感及び不快感は無く、且つ皮膚の弱い人が安心して快適に使用できる。
【符号の説明】
【０００９】    １皺防止開口靴下、２靴下本体、３開口部、４保全部、２０足挿入口部、２１胴部、  ２２湾曲部、２３足首部、２４足甲部、２５踵部、２６足底部、２７つま先部、Ａ足
【図１】
2019007126.tif 000003
【図２】
2019007126.tif 000004